(57)【要約】【課題】フィルタに捕集された塵埃を除去する構造を簡単にして、製造コストを下げることできる電気掃除機を提供する。【解決手段】サイクロン集塵機３は、掃除機本体に着脱可能に搭載されていると共に、空気を旋回させることにより、その空気と塵埃を遠心分離する。また、サイクロン集塵機３は、ダストカップ７、カップ蓋８およびカップカバー９を備える。カップ蓋８とカップカバー９との間にはＨＥＰＡフィルタ３４が配置されている。カップカバー９には、ＨＥＰＡフィルタ３４側に向かって押し込み可能なカップボタン１４が設けられている。除塵装置１１は、カップボタン１４の押し込みに連動すると共に、カップボタン１４の押し込み力をＨＥＰＡフィルタ３４を振動させるための力に変換する。【選択図】図２
2010119495.tif 000002
【特許請求の範囲】
【請求項１】
掃除機本体と、
上記掃除機本体に着脱可能に搭載されていると共に、空気を旋回させることにより、その空気と塵埃を遠心分離するサイクロン集塵機と
を備え、
上記サイクロン集塵機は、
ケーシングと、
上記ケーシング内に配置されたフィルタと、
上記ケーシングに設けられ、上記ケーシング内に向かって押し込み可能なボタンと、
上記ボタンの押し込み力を上記フィルタを振動させるための力に変換する変換手段と
を有することを特徴とする電気掃除機。
【請求項２】
請求項１に記載の電気掃除機において、
上記サイクロン集塵機を上記掃除機本体から取り外し不可能にロックするロック機構を備え、
上記ロック機構のロックは、上記ボタンの押し込みに伴って解除されることを特徴とする電気掃除機。
【請求項３】
請求項１または２に記載の電気掃除機において、
上記ケーシングの上記ボタン近傍に把手が設けられていることを特徴とする電気掃除機。
【請求項４】
請求項１から３までのいずれか一項に記載の電気掃除機において、
上記変換手段は、
カム面が形成されたカム部を含み、上記フィルタに対して回転可能な枠体と、
上記ボタンの押し込みに伴って上記カム面を摺動する摺動子を含むと共に、上記ボタンの押し込み力を受けて、上記フィルタに対して上記枠体を回転させる動力伝達部材と、
上記枠体の回転に伴って上記フィルタを叩く叩き部と
を有することを特徴とする電気掃除機。
【請求項５】
請求項４に記載の電気掃除機において、
上記カム部の展開形状は略三角形状であることを特徴とする電気掃除機。
【発明の詳細な説明】
【技術分野】
【０００１】
本発明は電気掃除機に関する。
【背景技術】
【０００２】
従来、電気掃除機としては、筒状の集塵容器内で吸気を旋回して吸気内の塵埃を分離するサイクロン集塵機を備えたものがある（例えば特開２００７−２５２８３８号公報（特許文献１）参照）。
【０００３】
上記サイクロン集塵機は、図１７に示すように、上端が開口する有底円筒形状のダストカップ１０１と、このダストカップ１０１の上面を覆うと共に、ダストカップ１０１に着脱可能なカップカバー１０２とを有する。
【０００４】
上記ダストカップ１０１内には内筒１０３が配置され、内筒１０３の中心軸はダストカップ１０１の中心軸と一致する。この内筒１０３は、ダストカップ１０１の空気を流出させるための流出口１０４ａを有する。
【０００５】
上記カップカバー１０２はフィルタ１０５を回転可能に収容している。このフィルタ１０５は、内筒１０３の流出口１０４ａから流出した空気内の塵埃を捕集する。また、上記フィルタ１０５の下面には、弾性体から成る板バネ状のフィルタ除塵部１０７が当接している。
【０００６】
また、上記カップカバー１０２外には、フィルタ１０５を回転駆動する電気モータ１０６が配置されている。この電気モータ１０６がフィルタ１０５を回転駆動すると、フィルタ除塵部１０７がフィルタ１０５の下面を摺動する。これにより、上記フィルタ１０５に捕集された塵埃が除去される。
【０００７】
しかしながら、上記従来の電気掃除機では、カップカバー１０２外の電気モータ１０６でフィルタ１０５を回転させるため、構造が複雑になって、製造コストが高くなるという問題がある。
【特許文献１】特開２００７−２５２８３８号公報
【発明の開示】
【発明が解決しようとする課題】
【０００８】
そこで、本発明の課題は、フィルタに捕集された塵埃を除去する構造を簡単にして、製造コストを下げることできる電気掃除機を提供することにある。
【課題を解決するための手段】
【０００９】
上記課題を解決するため、本発明の電気掃除機は、
掃除機本体と、
上記掃除機本体に着脱可能に搭載されていると共に、空気を旋回させることにより、その空気と塵埃を遠心分離するサイクロン集塵機と
を備え、
上記サイクロン集塵機は、
ケーシングと、
上記ケーシング内に配置されたフィルタと、
上記ケーシングに設けられ、上記ケーシング内に向かって押し込み可能なボタンと、
上記ボタンの押し込み力を上記フィルタを振動させるための力に変換する変換手段と
を有することを特徴としている。
【００１０】
上記構成の電気掃除機によれば、ユーザがボタンをケーシング内に向かって押し込むと、変換手段はボタンの押し込み力をフィルタを振動させるための力に変換する。これにより、上記フィルタが振動し、フィルタから塵埃が落ちる。
【００１１】
このように、上記変換手段がボタンの押し込み力をフィルタを振動させるための力に変換するので、フィルタを回転駆動する例えば電気モータをケーシング外に配置しなくてもよい。
【００１２】
したがって、上記フィルタに捕集された塵埃を除去する構造を簡単にして、製造コストを下げることができる。
【００１３】
一実施形態の電気掃除機では、
上記サイクロン集塵機を上記掃除機本体から取り外し不可能にロックするロック機構を備え、
上記ロック機構のロックは、上記ボタンの押し込みに伴って解除される。
【００１４】
上記実施形態の電気掃除機によれば、上記ロック機構のロックは、ボタンの押し込みに伴って解除されるので、使い勝手が良好となる。
【００１５】
一実施形態の電気掃除機では、
上記ケーシングの上記ボタン近傍に把手が設けられている。
【００１６】
上記実施形態の電気掃除機によれば、上記把手はケーシングのボタン近傍に設けられているので、ユーザは把手を持つ手の指を使って、ボタンを押し込むことができる。
【００１７】
したがって、ユーザは、サイクロン集塵機の取り外しと、フィルタに捕集された塵埃の除去とを、片手で行うことができる。
【００１８】
一実施形態の電気掃除機では、
上記変換手段は、
カム面が形成されたカム部を含み、上記フィルタに対して回転可能な枠体と、
上記ボタンの押し込みに伴って上記カム面を摺動する摺動子を含むと共に、上記ボタンの押し込み力を受けて、上記フィルタに対して上記枠体を回転させる動力伝達部材と、
上記枠体の回転に伴って上記フィルタを叩く叩き部と
を有する。
【００１９】
上記実施形態の電気掃除機によれば、ユーザがボタンを押し込むと、動力伝達部材が、ボタンの押し込み力を受けて、フィルタに対して枠体を回転させる。
【００２０】
その結果、上記叩き部が枠体の回転に伴ってフィルタを叩くので、フィルタに捕集された塵埃を確実に除去できる。
【００２１】
一実施形態の電気掃除機では、
上記カム部の展開形状は略三角形状である。
【００２２】
上記実施形態の電気掃除機によれば、上記カム部の展開形状は略三角形状であるので、カム部の形成は簡単である。
【発明の効果】
【００２３】
本発明の電気掃除機によれば、変換手段がボタンの押し込み力をフィルタを振動させるための力に変換することによって、フィルタを回転駆動する例えば電気モータをケーシング外に配置しなくてもよいので、フィルタに捕集された塵埃を除去する構造を簡単にして、製造コストを下げることができる。
【発明を実施するための最良の形態】
【００２４】
以下、本発明の電気掃除機を図示の実施の形態により詳細に説明する。
【００２５】
図１は、本発明の一実施形態の電気掃除機の掃除機本体１の概略断面図である。
【００２６】
上記電気掃除機の掃除機本体１は、電動送風機２を内蔵し、前側の端面に吸込口４が設けられている。吸込口４には、図示しないサクションホースの一方の端部が連結される。また、掃除機本体１は、床などの上を移動するための前輪５および後輪６と、着脱可能なサイクロン集塵機３とを備える。
【００２７】
図２は、上記サイクロン集塵機３の概略鉛直断面図である。
【００２８】
上記サイクロン集塵機３は、上端が開口する有底円筒形状のダストカップ７と、このダストカップ７に着脱可能に取り付けられ、ダストカップ７の上端の開口を塞ぐカップ蓋８と、このカップ蓋８に着脱可能に取り付けられ、カップ蓋８を覆うカップカバー９とを有する。また、カップ蓋８とカップカバー９との間には、フィルタユニット１０および除塵装置１１が配置されている。なお、ダストカップ７、カップ蓋８およびカップカバー９はケーシングの一例である。また、除塵装置１１は変換手段の一例である。
【００２９】
上記ダストカップ７の側部には流入口１５が設けられており、掃除機本体１にサイクロン集塵機３を装着すると、その流入口１５が吸込口４（図１参照）と連通する。流入口１５からダストカップ７内に入った空気は、ダストカップ７内で高速旋回し、空気に含まれる塵埃が遠心分離される。この塵埃と分離された空気は、複数の流出口１６から内筒１２内に入ってフィルタユニット１０へ向かって流れる。
【００３０】
上記内筒１２はダストカップ７内に配置されて、ダストカップ７の中心軸と同一の中心軸を有する。そして、内筒１２の周壁には、周方向に所定の間隔を空けて複数の流出口１６が設けられている。この複数の流出口１６はナイロン等の合成繊維で織った細かいメッシュで覆われている。また、内筒１２の下端はダスト仕切部材１３の上端に接続されて、ダスト仕切部材１３が内筒１２と一体になっている。
【００３１】
上記ダスト仕切部材１３は、内部空間が内筒１２内の空間と連通する筒部１７と、この筒部１７の外周面に設けられ、ダストカップ７の中心軸方向に延びる翼部１８とを有する。この筒部１７の下端はダストカップ７の底部の内面に接し、筒部１７の周囲に堆積する塵埃が筒部１７内に進入できなくなっている。また、筒部１７の上端部は、上端から下方に進むにつれて内径および外径が小さくなるように形成されている。これにより、筒部１７の上端部の内周面は水平方向に対して傾斜するので、フィルタユニット１０からの塵埃を筒部１７の下端部内に容易に落下させることができる。
【００３２】
上記カップ蓋８の前端部には、中央部１９ａを中心に揺動可能に解除レバー１９が取り付けられている。この解除レバー１９の上端部１９ｂはカップカバー９の係止部に係止されている一方、解除レバー１９の下端部１９ｃは径方向外側へコイルバネ２０で付勢されている。解除レバー１９の下端部１９ｃを径方向内側に押すと、解除レバー１９は中央部１９ａを中心に揺動する。これにより、解除レバー１９の先端部の係止が解除され、カップカバー９はカップ蓋８からを取り外し可能となる。
【００３３】
また、上記カップ蓋８の下端部は円錐筒形状に形成されている。また、上記下端部の径方向の略中央部に貫通孔２１が設けられ、この貫通孔２１の周縁部に内筒１２の上端が一体に固定されている。また、カップ蓋８の下端部とフィルタユニット１０との間にはワイパ装置２２が配置されている。
【００３４】
上記カップカバー９には、除塵装置１１側に押し込み可能なカップボタン１４が設けられている。このカップボタン１４は、コイルバネ２３によって除塵装置１１側とは反対側に付勢されている。また、カップカバー９は、フィルタユニット１０を通過した空気を排気する排気口２４を後端部に有する。一方、カップカバー９の前端部には、カップボタン１４近傍に位置するように把手２５が設けられている。ユーザはその把手２５を持って、掃除機本体１に対するサイクロン集塵機３の着脱を容易に行うことができる。なお、カップボタン１４はボタンの一例である。
【００３５】
なお、図２において、２６はカップパッキン、２７はフィルタパッキン、２８はカップカバーパッキンである。
【００３６】
図３は、上記ワイパ装置２２を下方から見た概略図である。
【００３７】
上記ワイパ装置２２は、有底円筒形状の基部２９と、この基部２９から径方向に延びる２つの腕部３０，３０とを有する。この各腕部３０の先端部には、ゴム弾性体からなるワイパ部３１が取り付けられている。このワイパ部３１がカップ蓋８の下端部の上面（フィルタユニット１０に対向する側の表面）を摺動することにより、その上面上の塵埃が内筒１２内へ落とされる。
【００３８】
図４は、上記フィルタユニット１０を上方から見た概略図である。
【００３９】
上記フィルタユニット１０は、保持筒３２と、この保持筒３２の外径よりも大きい内径を有する環状の保持枠３３と、プリーツ加工が施された環状のＨＥＰＡ（High Efficiency Particulate Air）フィルタ３４とを有する。このＨＥＰＡフィルタ３４は、保持筒３２と保持枠３３との間に配置され、保持筒３２および保持枠３３と一体になっている。内筒１２内から流れてきた空気がＨＥＰＡフィルタ３４を通過するので、ダストカップ７における遠心分離で除去できなかった塵埃をＨＥＰＡフィルタ３４に捕集することができる。なお、ＨＥＰＡフィルタ３４はフィルタの一例である。
【００４０】
図５は、上記除塵装置１１を側方から見た概略図である。また、図６は、上記除塵装置１１を斜め下方から見た概略図である。
【００４１】
図５，図６に示すように、上記除塵装置１１は、環状の枠部３５と、有底円筒形状のボス部３６と、このボス部３６内に大部分が収容された動力伝達部材３７と、その枠部３５とボス部３６とを連結する放射状の複数の連結棒３８，３８，…と、この連結棒３８同士間に配置された２つのフィルタビート３９，３９とを有する。枠部３５、ボス部３６、連結棒３８，３８，…およびフィルタビート３９，３９は互いに一体に形成されている。また、ボス部３６はフィルタユニット１０の保持筒３２内に回転可能に挿入される（図４参照）。これにより、枠部３５、ボス部３６、連結棒３８，３８，…およびフィルタビート３９，３９は、フィルタユニット１０に対して一体に回転することができる。なお、枠部３５、ボス部３６および連結棒３８，３８，…は枠体の一例である。
【００４２】
上記フィルタビート３９は、連結棒３８に固定された扇形状の板部４０と、この板部４０の下面の凹部から突出するコイルバネ４１と、このコイルバネ４１の先端部に取り付けられた叩き部４２とを含む。この叩き部４２は、球面を有する頭部と、この頭部に連なると共に、コイルバネ４１の先端部内の空間に嵌合する軸部とで構成されている。フィルタユニット１０に対してフィルタビート３９，３９が回転すると、叩き部４２の頭部がＨＥＰＡフィルタ３４を叩く。これにより、ＨＥＰＡフィルタ３４に捕集された塵埃がカップ蓋８上に落下する。
【００４３】
図７は、図６のボス部３６の下部の断面をとってボス部３６の上部内が見えるようにした概略図である。
【００４４】
上記ボス部３６の上部の内周面には、周方向において互いに連なる２つの第１カム部４３，４３を設けている。この２つの第１カム部４３，４３は、それぞれ、展開形状が略三角形状を呈し、後述する第２カム部４６，４６のカム面４７を摺動するカム面４４を有する（図８，図９参照）。
【００４５】
図８は、上記動力伝達部材３７を斜め上方から見た概略図である。また、図９は、上記動力伝達部材３７を斜め下方から見た概略図である。
【００４６】
図８，図９に示すように、上記動力伝達部材３７の外周面の上部にはギヤ部４５が設けられている。また、上記動力伝達部材３７の外周面の下部および中央部には、周方向に互いに連なる２つの第２カム部４６，４６が設け有られている。この２つの第２カム部４６，４６は、それぞれ、展開形状が略三角形状を呈し、第１カム部４３，４３のカム面４４が摺動するカム面４７を有する（図７参照）。
【００４７】
また、上記動力伝達部材３７の内周面には、周方向に１８０°の間隔をおいて２つの摺動子４８，４８が設けられている。この２つの摺動子４８，４８は、後述する第３カム部５２，５２のカム面５３，５３を摺動する。なお、上記第３カム部５２，５２はカム部の一例であり、カム面５３，５３もカム面の一例である。
【００４８】
上記動力伝達部材３７は、図２に示す連結部材４９に連結固定される。このとき、動力伝達部材３７のギヤ部４５の複数の歯は連結部材４９のギヤ部５０の複数の歯に歯合し、動力伝達部材３７は連結部材４９に対して回転不可となっている。
【００４９】
図１０は、上記ボス部３６の下部内を斜め上方から見た概略図である。
【００５０】
上記ボス部３６の下部内には円筒挿入部５１が設けられている。この円筒挿入部５１の外周面には、周方向において互いに連なる２つの第３カム部５２，５２を設けている。この２つの第３カム部５２，５２は、それぞれ、展開形状が略三角形状を呈し、摺動子４８，４８が摺動するカム面５３を有する。
【００５１】
また、上記円筒挿入部５１は、図１１に示すように、動力伝達部材３７内に挿入できるように、円筒挿入部５１の外径は動力伝達部材３７の内周面の径よりも小さく設定されている。また、動力伝達部材３７内に円筒挿入部５１を挿入すると、摺動子４８，４８が第３カム部５２，５２のカム面５３，５３に当接する。
【００５２】
図１２は、図２とは異なる鉛直面でサイクロン集塵機３を切った概略鉛直断面図である。
【００５３】
上記サイクロン集塵機３には、サイクロン集塵機３を掃除機本体１から取り外し不可能にロックするロック機構５４が設けられている。このロック機構５４は、カップカバー９のリブにガイドされて径方向のみに移動できるロック棒５５と、ロック棒５５を径方向外側へ付勢するコイルバネ５６と、カップボタン１４の内面に設けられ、下方に向かって突出する突出部５７とで構成されている。上記ロック棒５５の径方向外側の端部つまり先端部５５ａは、掃除機本体１に設けられた挿入穴（図示せず）に挿入される。また、上記ロック棒５５の径方向内側の端部つまり基端部５５ｂには、径方向に対して傾斜する傾斜面５５ｃが設けられている。さらに、上記突出部５７の基端部５５ｂ側の端部には、基端部５５ｂの傾斜面５５ｃに平行な傾斜面５７ａが設けられている。
【００５４】
上記カップボタン１４がコイルバネ２３の付勢力に抗して除塵装置１１側に押し込まれると、基端部５５ｂの傾斜面５５ｃと突出部５７の傾斜面傾斜面５７ａとのカム作用によって、ロック棒５５はコイルバネ５６の付勢力に抗して径方向内側へ移動する。これにより、上記ロック棒５５の先端部５５ａが上記挿入穴から出て、ロック機構５４のロックが解除され、サイクロン集塵機３は掃除機本体１から取り外し可能となる。
【００５５】
そして、上記カップボタン１４に加えられている押し込み力が無くなると、カップボタン１４はコイルバネ２３の付勢力で押し上げられる。これに伴い、上記基端部５５ｂの傾斜面５５ｃと突出部５７の傾斜面５７ａとのカム作用が解除され、ロック棒５５はコイルバネの付勢力で径方向外側へ移動する。これにより、上記ロック棒５５の先端部５５ａがカップカバー９から突出する。このとき、上記サイクロン集塵機３を掃除機本体１に装着していれば、ロック棒５５の先端部５５ａが上記挿入穴に挿入されて、サイクロン集塵機３は掃除機本体１から取り外し不可能となる。つまり、サイクロン集塵機３は掃除機本体１の所定位置にロックされる。
【００５６】
上記構成の電気掃除機によれば、ユーザがカップボタン１４を除塵装置１１側に押し込むと、連結部材４９および動力伝達部材３７がカップボタン１４と共に下降する。このとき、上記動力伝達部材３７は回転せずにそのまま下降するので、２つの摺動子４８，４８は周方向の位置を変えずに下降する。これにより、摺動子４８，４８は、図１３に示す位置から、第３カム部５２，５２のカム面５３，５３を摺動し、図１４に示す位置に移る。そうすると、摺動子４８，４８と第３カム部５２，５２のカム面５３，５３とのカム作用により、枠部３５、ボス部３６、連結棒３８，３８，…およびフィルタビート３９，３９がフィルタユニット１０に対して一体に１８０°正回転する。その結果、上記叩き部４２はＨＥＰＡフィルタ３４の上部側の折り曲げ部を複数乗り越え、ＨＥＰＡフィルタ３４が叩き部４２に叩かれるので、ＨＥＰＡフィルタ３４から塵埃が落下する。
【００５７】
このように、ユーザはカップボタン１４を除塵装置１１側に押し込むだけで、枠部３５、ボス部３６、連結棒３８，３８，…およびフィルタビート３９，３９がフィルタユニット１０に対して一体に回転するので、枠部３５、ボス部３６、連結棒３８，３８，…およびフィルタビート３９，３９を回転させる電気モータは不要である。
【００５８】
したがって、上記ＨＥＰＡフィルタ３４に捕集された塵埃を除去する構造を簡単にして、製造コストを下げることができる。
【００５９】
また、ユーザがカップボタン１４から手を離すと、連結部材４９および動力伝達部材３７がカップボタン１４と共に上昇する。このとき、動力伝達部材３７は回転せずにそのまま上昇するので、第２カム部４６，４６は周方向の位置を変えずに上昇する。これにより、第１カム部４３，４３と第２カム部４６，４６との位置関係は、図１５の状態から図１６の状態に推移する。そうすると、第１カム部４３，４３のカム面４４，４４と第２カム部４６，４６のカム面４７，４７とのカム作用により、枠部３５、ボス部３６、連結棒３８，３８，…およびフィルタビート３９，３９がフィルタユニット１０に対して一体に１８０°逆回転する。
【００６０】
このように、ユーザがカップボタン１４から手を離すと、枠部３５、ボス部３６、連結棒３８，３８，…およびフィルタビート３９，３９がフィルタユニット１０に対して一体に１８０°逆回転するので、再び、カップボタン１４が除塵装置１１側に押し込まれたときには、摺動子４８，４８と第３カム部５２，５２のカム面５３，５３とのカム作用を得ることができる。
【００６１】
また、ユーザはカップボタン１４を除塵装置１１側に押し込むだけで、ロック機構５４のロックが解除されるので、掃除機本体１からサイクロン集塵機３を取り外すのにかかる手数が減り、使い勝手を向上できる。
【００６２】
また、上記カップカバー９のカップボタン１４近傍の部分に把手２５を設けているので、ユーザは片手で把手２５の把持とカップボタン１４の操作とを行うことができる。
【００６３】
したがって、ユーザは、サイクロン集塵機３の取り外しと、ＨＥＰＡフィルタ３４に捕集された塵埃の除去とを、片手で行うことができる。
【００６４】
また、ユーザのカップボタン１４の押し込みに伴い、動力伝達部材３７の摺動子４８，４８が第３カム部５２，５２のカム面５３，５３を摺動するので、フィルタビート３９，３９がフィルタユニット１０に対して回転する。
【００６５】
その結果、上記フィルタビート３９，３９の叩き部４２がＨＥＰＡフィルタ３４を叩くので、ＨＥＰＡフィルタ３４に捕集された塵埃を確実に除去できる。
【００６６】
また、上記第１カム部４３，４３、第２カム部４６，４６および第３カム部５２，５２の展開形状は略三角形状であるので、第１カム部４３，４３、第２カム部４６，４６および第３カム部５２，５２を例えば金型で容易に形成できる。
【００６７】
本発明は、上記実施形態のように、キャニスタ型電気掃除機に用いたり、例えばアップライト型電気掃除機などに用いたりすることができる。
【図面の簡単な説明】
【００６８】
【図１】図１は本発明の一実施形態の電気掃除機の掃除機本体の概略断面図である。
【図２】図２は上記電気掃除機のサイクロン集塵機の概略鉛直断面図である。
【図３】図３は上記電気掃除機のワイパ装置の概略下面図である。
【図４】図４は上記電気掃除機のフィルタユニットの概略上面図である。
【図５】図５は上記電気掃除機の除塵装置の概略側面図である。
【図６】図６は上記除塵装置の概略下斜視図である。
【図７】図７は上記除塵装置のボス部内の構造を説明するための概略下斜視図である。
【図８】図８は上記除塵装置の動力伝達部材の概略上斜視図である。
【図９】図９は上記除塵装置の動力伝達部材の概略下斜視図である。
【図１０】図１０は上記ボス部内の構造を説明するための概略上斜視図である。
【図１１】図１１は上記ボス部内での動力伝達部材の状態を説明するための概略上斜視図である。
【図１２】図１２は上記サイクロン集塵機の他の概略鉛直断面図である。
【図１３】図１３は上記動力伝達部材の摺動子の摺動を説明するための展開図である。
【図１４】図１４は上記動力伝達部材の摺動子の摺動を説明するための展開図である。
【図１５】図１５は上記ボス部の第１カム部のカム面の摺動を説明するための展開図である。
【図１６】図１６は上記ボス部の第１カム部のカム面の摺動を説明するための展開図である。
【図１７】図１７は従来の電気掃除機のサイクロン集塵機の模式断面図である。
【符号の説明】
【００６９】
１  掃除機本体
３  サイクロン集塵機
７  ダストカップ
８  カップ蓋
９  カップカバー
１４  カップボタン
２５  把手
３４  ＨＥＰＡフィルタ
３５  枠部
３８  連結棒
３６  ボス部
３７  動力伝達部材
４２  叩き部
４８  摺動子
５２  第３カム部
５３  カム面
５４  ロック機構
【図１】
2010119495.tif 000003
【図２】
2010119495.tif 000004
【図３】
2010119495.tif 000005
【図４】
2010119495.tif 000006
【図５】
2010119495.tif 000007
【図６】
2010119495.tif 000008
【図７】
2010119495.tif 000009
【図８】
2010119495.tif 000010
【図９】
2010119495.tif 000011
【図１０】
2010119495.tif 000012
【図１１】
2010119495.tif 000013
【図１２】
2010119495.tif 000014
【図１３】
2010119495.tif 000015
【図１４】
2010119495.tif 000016
【図１５】
2010119495.tif 000017
【図１６】
2010119495.tif 000018
【図１７】
2010119495.tif 000019